(57)【要約】【課題】揺動部材の撓みを抑制してラック部での歯蹴り（歯飛び）の発生を抑えることで、動作品位を向上させた光ディスク装置を提供することである。【解決手段】光ディスク装置１は、揺動部材２３と、第１規制部２３ｄと、第１壁部２１ａと、を備える。揺動部材２３は、駆動力が伝達されるラック部２３ａを有し、光ディスク１５を回転可能に保持する保持部２９を第１位置と第２位置との間で揺動させる。第１規制部２３ｄは、揺動部材２３の移動方向と交差する方向への揺動部材２３の移動を規制する。第１壁部２１ａは、揺動部材２３を搭載する筐体部２１に設けられる。第１壁部２１ａには第１規制部２３ｄが当接する。【選択図】図８
2014203474.tif 000002
【特許請求の範囲】
【請求項１】
駆動力が伝達されるラック部を有し、光ディスクを回転可能に保持する保持部を第１位置と第２位置との間で揺動させる揺動部材と、
前記揺動部材の前記ラック部近傍に設けられ、前記揺動部材の移動方向と交差する方向への前記揺動部材の移動を規制する第１規制部と、
前記揺動部材を搭載する筐体部に設けられ、第１規制部が当接する第１壁部と、
を備えた光ディスク装置。
【請求項２】
前記光ディスクを搬送する搬送部材と、
前記揺動部材に設けられ、前記搬送部材に係合する係合部と、
前記揺動部材の前記係合部近傍に設けられ、前記揺動部材の移動方向と交差する方向への前記揺動部材の移動を規制する第２規制部と、
前記筐体部に設けられ、第２規制部が当接する第２壁部と、をさらに備えることを特徴とする請求項１に記載の光ディスク装置。
【請求項３】
前記第２規制部による規制時は、少なくとも、前記突起部と前記搬送部材との係合時を含むことを特徴とする請求項２に記載の光ディスク装置。
【請求項４】
第２規制部はリブ又は溝であることを特徴とする請求項２又は３に記載の光ディスク装置。
【請求項５】
第２規制部が規制する方向は、前記揺動部材及び前記ラック部の動作面における前記揺動部材の移動方向に直交する方向であることを特徴とする請求項２〜４の何れかに記載の光ディスク装置。
【請求項６】
前記第１規制部による規制時は、少なくとも、前記駆動力を伝達する歯車部と前記ラック部との噛合開始時を含むことを特徴とする請求項１〜５の何れかに記載の光ディスク装置。
【請求項７】
第１規制部はリブ又は溝であることを特徴とする請求項１〜６の何れかに記載の光ディスク装置。
【請求項８】
第１規制部が規制する方向は、前記揺動部材及び前記ラック部の動作面における前記揺動部材の移動方向に直交する方向であることを特徴とする請求項１〜７の何れかに記載の光ディスク装置。
【請求項９】
第１位置は、前記光ディスクが前記保持部に保持されるチャッキング位置であり、
第２位置は、前記光ディスクが前記保持部に保持されないアンチャッキング位置であることを特徴とする請求項１〜８の何れかに記載の光ディスク装置。
【発明の詳細な説明】
【技術分野】
【０００１】
本発明は、ＢＤ（Blu-ray Disc：登録商標）、ＤＶＤ（Digital Versatile Disc）等の光ディスクに対して記録／再生を行う光ディスク装置に関する。
【背景技術】
【０００２】
従来から、光ディスクを再生したり、光ディスクに記録したりする光ディスク装置において、様々な形態が提案されている。その形態の一つとして、メインシャーシと、光ディスクが載置されるトレイと、トラバースシャーシと、カムスライダーと、駆動モーターと、ギアとを有する光ディスク装置がある。トラバースシャーシは光ピックアップ及びターンテーブルを搭載する。カムスライダーはトラバースシャーシを上下に揺動させる。ギアは駆動モーターの駆動力をトレイのラック及びカムスライダーのラックに伝達する。
【０００３】
この光ディスク装置におけるトレイを排出する際の動作について以下説明する。まず、トレイが収納位置にあり、ターンテーブルに光ディスクがチャッキングされている。このときに、駆動モーターからの駆動力がギアを介して光ピックアップのラックに伝達されると、光ピックアップはトレイの開口内を光ディスクの径方向に移動することでトレイに干渉することなく所定の位置まで移動する。
【０００４】
その後、光ピックアップのラックの先端付近から上方へ突出したボスがカムスライダーの上部に形成された溝に嵌まってカムスライダーを押し動かすことで、カムスライダーのラックが駆動モーターの駆動力を伝達するギアに噛合する。ここで光ピックアップのラックがギアから外れる。そして、駆動モーターからの駆動力がギアを介してカムスライダーのラックに伝達されると、トラバースシャーシは下降する。トラバースシャーシの下降によって光ディスクがアンチャッキングされると、駆動モーターの駆動力はトレイのラックにも伝達され、トレイは排出位置に向かって移動し、排出位置で停止する。
【０００５】
このように、駆動モーターの駆動力はカムスライダーからトレイに切り替えて伝達される。この切り替え時にギアの歯蹴り（歯飛び）が発生しやすく、その際、外力によりカムスライダーが撓むことでより発生しやすくなる。歯蹴りが起こるとカムスライダーの移動が一時止まるので、トレイの動作が一時止まる。また、歯蹴りによる異音も生じる。このように、歯蹴りにより光ディスク装置の動作品位が低下する。
【０００６】
ところで、特許文献１には、可撓性歯付ラックの代わりに、好ましくはリブにより補強され、駆動体によりピックアップの駆動体に対して位置される歯付ラックが用いられる記録又は再生装置が開示されている。
【先行技術文献】
【特許文献】
【０００７】
【特許文献１】特開２００５−２５９２６号公報
【発明の概要】
【発明が解決しようとする課題】
【０００８】
しかしながら、特許文献１はカムスライダーに関する技術ではなく、カムスライダーに適用できるかどうかは示されていない。また近年、筐体の薄型化の要請に伴い、カムスライダーを小型化する必要があり、その撓みに対する部品強度を十分に確保できない状況がある。
【０００９】
本発明は、揺動部材の撓みを抑制して歯蹴り（歯飛び）の発生を抑えることで、動作品位を向上させた光ディスク装置を提供することを目的とする。
【課題を解決するための手段】
【００１０】
上記目的を達成するために、本発明の一の局面による光ディスク装置は、駆動力が伝達されるラック部を有し、光ディスクを回転可能に保持する保持部を第１位置と第２位置との間で揺動させる揺動部材と、揺動部材のラック部近傍に設けられ、揺動部材の移動方向と交差する方向への揺動部材の移動を規制する第１規制部と、揺動部材を搭載する筐体部に設けられ、第１規制部が当接する第１壁部と、を備える。
【００１１】
上記構成によれば、第１規制部が第１壁部に当接することによって、揺動部材のラック部周辺の撓みを抑制するので、ラック部での歯蹴り（歯飛び）の発生が抑えられる。その結果、歯蹴り（歯飛び）による異音や他の動作の一時停止がなくなり、光ディスク装置の動作品位が向上する。
【００１２】
また、上記の光ディスク装置は、光ディスクを搬送する搬送部材と、揺動部材に設けられ、搬送部材に係合する係合部と、揺動部材の移動方向と交差する方向への揺動部材の移動を規制する第２規制部と、筐体部に設けられ、第２規制部が当接する第２壁部と、をさらに備えてもよい。
【００１３】
上記構成によれば、第２規制部が第２壁部に当接することによって、揺動部材の係合部周辺の撓みを抑制する。その結果、係合部と搬送部材との不適切な接触による異音や搬送部材が引っ掛かるような動作を抑制することができるので、光ディスク装置の動作品位が向上する。
【００１４】
また、上記の光ディスク装置において、第２規制部による規制時は、少なくとも、係合部と搬送部材との係合時を含んでいてもよい。
【００１５】
係合部と搬送部材との係合時には、係合部と搬送部材との不適切な接触による異音や搬送部材が引っ掛かるような動作が生じやすい。対して、上記構成によれば、その係合時に揺動部材の撓みが抑制されるので、係合部と搬送部材との不適切な接触による異音や搬送部材が引っ掛かるような動作の発生をより確実に抑制することができる。
【００１６】
また、上記の光ディスク装置において、第２規制部はリブ又は溝としてもよい。
【００１７】
これにより、第２規制部を揺動部材と一体成形することができる。
【００１８】
また、上記の光ディスク装置において、第２規制部が規制する方向は、揺動部材及びラック部の動作面における揺動部材の移動方向に直交する方向であってもよい。
【００１９】
揺動部材及びラック部の動作面における揺動部材の移動方向に直交する方向に応力がかかると、係合部と搬送部材との不適切な接触が生じやすい。対して、上記構成によれば、この直交する方向への揺動部材の移動を第２規制部が規制する。従って、係合部と搬送部材との不適切な接触をさらに確実に抑制することができる。
【００２０】
また、上記の光ディスク装置において、第１規制部による規制時は、少なくとも、駆動力を伝達する歯車部とラック部との噛合開始時を含んでもよい。
【００２１】
歯車部とラック部との噛合開始時には、歯蹴り（歯飛び）が生じやすいが、上記構成によれば、噛合開始時に揺動部材の撓みが抑制されるので、歯蹴り（歯飛び）の発生をより確実に抑制することができる。
【００２２】
また、上記の光ディスク装置において、第１規制部はリブ又は溝であってもよい。
【００２３】
これにより、第１規制部を揺動部材と一体成形することができる。
【００２４】
また、上記の光ディスク装置において、第１規制部が規制する方向は、揺動部材及びラック部の動作面における揺動部材の移動方向に直交する方向であってもよい。
【００２５】
揺動部材及びラック部の動作面における揺動部材の移動方向に直交する方向に応力がかかると歯蹴り（歯飛び）が生じ易い。対して、上記構成によれば、この直交する方向への揺動部材の移動を第１規制部が規制する。従って、歯蹴り（歯飛び）の発生をさらに確実に抑制することができる。
【００２６】
また、上記の光ディスク装置において、第１位置は、光ディスクが保持部に保持されるチャッキング位置であり、第２位置は、光ディスクが保持部に保持されないアンチャッキング位置であってもよい。
【００２７】
上記構成によれば、揺動部材が保持部をチャッキング位置とアンチャッキング位置との間で揺動させる際、揺動部材の撓みを抑制し、ラック部での歯蹴り（歯飛び）の発生を抑えることができる。
【発明の効果】
【００２８】
本発明によると、揺動部材の撓みを抑制することができるので、歯蹴り（歯飛び）の発生が抑えられる。その結果、歯蹴り（歯飛び）による異音や他の動作の一時停止がなくなり、光ディスク装置の動作品位が向上する。
【図面の簡単な説明】
【００２９】
【図１】本発明の一実施形態の光ディスク装置の外観斜視図である。
【図２】本発明の一実施形態の光ディスク装置におけるトレイ排出状態のドライブ装置の要部構成の平面図である。
【図３】図２からトレイを省いた図である。
【図４】図３のＡ−Ａ線断面図である。
【図５】図３のＢ−Ｂ線断面図である。
【図６Ａ】光ディスクがチャッキングされた状態の一例を示す概念図である。
【図６Ｂ】光ディスクがチャッキングされていない状態（アンチャッキング状態）の一例を示す概念図である。
【図７Ａ】カムスライダーの平面図である。
【図７Ｂ】カムスライダーの正面図である。
【図７Ｃ】カムスライダーの背面図である。
【図７Ｄ】カムスライダーの右側面図である。
【図７Ｅ】カムスライダーの左側面図である。
【図８】カムスライダーがローダーシャーシに取り付けられた状態を示す斜視図である。
【図９Ａ】図８のＣ−Ｃ線断面を右側から見た斜視図である。
【図９Ｂ】図８のＤ−Ｄ線断面を左側から見た斜視図である。
【発明を実施するための形態】
【００３０】
以下、光ディスク装置を横置き（水平姿勢）に設置した状態、すなわち光ディスクのレーベル面が上向きで水平に収納、排出される状態を基準に説明する。光ディスクが排出される側を前側、前側に対面して右手を右側、前側に対面して左手を左側と定義する。また、光ディスクが排出・収納される方向を前後方向、光ディスクのレーベル面と平行で前後方向に直交する方向を左右方向、前後方向及び左右方向に直交する方向を上下方向と定義する。
【００３１】
図１は、本発明の一実施形態の光ディスク装置の外観斜視図である。光ディスク装置１は、前面カバー１１と、外装カバー１２と、前面カバー１１及び外装カバー１２によって前側、右側、左側及び上側が覆われるボトムシャーシ（不図示）とを備えている。
【００３２】
前面カバー１１は、外装カバー１２及びボトムシャーシの前側に取り付けられ、各種ユーザーインターフェースを有している。例えば、前面カバー１１には、光ディスク搬送用の後述するトレイ２２、トレイ２２を開閉させる開閉ボタン１４、外部機器接続用の端子群１５、表示部としての表示管１６、操作部１７、電源ボタン１８などが配設されている。なお、操作部１７は、光ディスクを再生させる再生ボタン等からなる。
【００３３】
外装カバー１２は、ボトムシャーシの上側、右側及び左側を覆うコ字型の部材であり、ボトムシャーシにビス等で固定される。ボトムシャーシは、光ディスク装置１の各種部材を搭載する。搭載する部材は、光ディスク装置１の各部を制御する制御部、後述するドライブ装置２０などである。
【００３４】
次に、光ディスク装置１に搭載されているドライブ装置２０について説明する。図２は光ディスク装置におけるトレイ排出状態のドライブ装置の要部構成の平面図である。また、図３は図２からトレイを省いた図である。図４は図３のＡ−Ａ線断面図であり、図５は図３のＢ−Ｂ線断面図である。
【００３５】
ドライブ装置２０は、ローダーシャーシ２１と、トレイ２２と、トラバースアッシー（不図示）と、カムスライダー２３と、駆動モーター（不図示）と、駆動力伝達歯車機構２４と、クランパー２５（後述する図６Ａ及び図６Ｂ参照）と、を備えている。駆動モーターの駆動力は、駆動力伝達歯車機構２４によりトレイ２２及びカムスライダー２３にそれぞれ伝達される。
【００３６】
ローダーシャーシ２１は、ドライブ装置２０の各部材を収容する平面視略四角形の筐体部であり、例えば樹脂の一体成形品である。ローダーシャーシ２１は、その中央付近から後端にかけてトラバースアッシーを収容している。また、ローダーシャーシ２１は、前部（トラバースアッシーの前側）にカムスライダー２３を収容している。
【００３７】
また、ローダーシャーシ２１には、第１壁部２１ａ及び第２壁部２１ｂが形成されている。第１壁部２１ａには、カムスライダー２３の後述する第１規制部２３ｄによる規制時に、第１規制部２３ｄが当接する。また、第２壁部２１ｂには、カムスライダー２３の後述する第２規制部２３ｅによる規制時に、第２規制部２３ｅが当接する。第１及び第２壁部２１ａ、２１ｂは、例えば、ローダーシャーシ２１の底部から上方へ突出した平板状の部材である。そして、第１及び第２壁部２１ａ、２１ｂは、第１及び第２規制部２３ｄ、２３ｅの規制時に第１及び第２規制部２３ｄ、２３ｅにそれぞれ当接する位置に設けられていればよい。
【００３８】
トレイ２２は、載置された光ディスク１５をドライブ装置２０の内部に搬送する搬送部材であり、光ディスク１５の収納位置と、光ディスク１５の排出位置との間を移動する。このトレイ２２はラック（不図示）を有している。ラックは、例えば、ラック部分がトレイ２２の下面右側部に沿って内向きに形成され、駆動力伝達歯車機構２４の１つのギアに噛合している。これにより、駆動モーターの駆動によってトレイ２２が前後方向に移動する。
【００３９】
また、トレイ２２には、その下面左側部に沿って案内溝（不図示）が形成されている。案内溝はトレイ２２の前端付近の屈曲部で右側へ略直角に曲がっている。案内溝は後述するカムスライダー２３のボス２３ｃに係合する。トレイ２２の収納動作時に屈曲部がボス２３ｃを若干右方向へ動かすことにより、カムスライダー２３が右方向へ移動するきっかけとなる。
【００４０】
トラバースアッシーは、光ディスク１５の搬送方向（前後方向）に略垂直な方向（上下方向）に揺動（旋回）して昇降可能な部材である。トラバースアッシーは、トラバースシャーシ２６と、光ピックアップユニット２７（以下ＯＰＵと呼ぶ）と、ガイドシャフト（不図示）と、光ディスク１５回転用のスピンドルモーター２８と、ターンテーブル２９と、を備えている。ガイドシャフトは、トラバースシャーシ２６に固定され、ＯＰＵ２７を光ディスク１５の径方向（前後方向）に移動可能に支持する。スピンドルモーター２８はトラバースシャーシ２６に固定される。ターンテーブル２９は、クランパー２５とともに光ディスク１５を回転可能に保持する保持部であり、スピンドルモーター２８の回転軸に挿嵌されている。
【００４１】
トラバースシャーシ２６は、ＯＰＵ２７、及び、ターンテーブル２９が回転軸に押嵌されたスピンドルモーター２８などを搭載する部材である。トラバースシャーシ２６は、例えば板金部材であり、その後端はローダーシャーシ２１に枢支され、その前端から突出したボス２６ａはカムスライダー２３の後述するカム溝２３ｂに係合している。これにより、トラバースシャーシ２６は、カムスライダー２３の移動によって、ＯＰＵ２７、スピンドルモーター２８、ターンテーブル２９などと共に、チャッキング位置（第１位置）とアンチャッキング位置（第２位置）との間で昇降（揺動）される。
【００４２】
図６Ａは光ディスクがチャッキングされた状態の一例を示す概念図であり、図６Ｂは光ディスクがチャッキングされていない状態（アンチャッキング状態）の一例を示す概念図である。チャッキング位置では、図６Ａに示すように、光ディスク１５はそのレーベル面側のクランパー２５とターンテーブル２９とによりチャッキングされる。また、アンチャッキング位置では、図６Ｂに示すように、光ディスク１５はチャッキングされない。
【００４３】
次に、カムスライダー２３は、左右方向に移動してトラバースアッシーを昇降（上下動）させる揺動部材である。カムスライダー２３は、左右方向に移動可能にローダーシャーシに取り付けられている。図７Ａはカムスライダーの平面図である。図７Ｂはカムスライダーの正面図である。図７Ｃはカムスライダーの背面図である。図７Ｄはカムスライダーの右側面図である。図７Ｅはカムスライダーの左側面図である。また、図８はカムスライダーがローダーシャーシに取り付けられた状態を示す斜視図である。図９Ａは図８のＣ−Ｃ線断面を右側から見た斜視図であり、図９Ｂは図８のＤ−Ｄ線断面を左側から見た斜視図である。
【００４４】
図７Ａ〜７Ｅに示すように、カムスライダー２３は、ラック２３ａと、カム溝２３ｂと、ボス（係合部）２３ｃと、第１規制部２３ｄと、第２規制部２３ｅと、を有している。ラック２３ａはカムスライダー２３の上面右部に設けられたラック部であり、前面に沿って左右方向にラック部分が形成されている。このラック部分は後述する駆動力伝達歯車機構２４の１つのギア２４３（歯車部）に噛合可能となっている。カム溝２３ｂは、正面視で水平に延びた高さの異なる２本の溝とそれらを繋ぐ斜めの溝とで構成され、トラバースシャーシ２６のボス２６ａに係合している（図６Ａ及び図６Ｂ参照）。
【００４５】
ボス２３ｃは、カムスライダー２３の左端部付近の上面から上方へ突出した円柱状の突起であり、トレイ２２の案内溝に係合する係合部である。トレイ２２の排出動作時には、カムスライダー２３が左方向へ移動することによって、ボス２３ｃがトレイ２２の屈曲部に当たってトレイ２２を若干前方へ動かす。この動作は、トレイ２２が排出方向（前方）へ移動するきっかけとなる。
【００４６】
第１規制部２３ｄは、図７Ｂ及び図７Ｄに示すように、カムスライダー２３のラック２３ａ近傍に設けられ、具体的にはラック２３ａが形成される平板部分の下面から下方（カムスライダー２３の移動方向と直交する方向）へ突出するリブ（突起）からなる。なお、第１規制部２３ｄはリブの代わりに溝としてもよい。溝とする場合、ラック２３ａが形成される平板部分の下面に、左右方向（カムスライダー２３の移動方向に平行な方向）に沿った溝とする。また、第１規制部２３ｄは互いに離れて複数形成されてもよい。このように、第１規制部２３ｄがリブや溝であれば、カムスライダー２３と一体成形することができる。
【００４７】
図８及び図９Ａに示すように、第１規制部２３ｄによる規制時には、第１規制部２３ｄが第１壁部２１ａに当接する。このとき、カムスライダー２３に移動方向以外の応力がかかって第１規制部２３ｄが第１壁部２１ａに当接する。すなわち、第１規制部２３ｄには、カムスライダー２３の移動方向（左右方向）と交差する方向（左右方向以外の方向）への移動を規制するストッパーとしての役割がある。これにより、カムスライダー２３の撓みが抑制される。
【００４８】
なお、第１規制部２３ｄによる規制時とは、少なくとも、ラック２３ａと、ラック２３ａに噛合する後述のギア２４３との噛合開始時を含むものとし、噛合中の全ての期間を含んでもよい。この噛合開始時にカムスライダー２３にかかる応力の方向は、カムスライダー２３及びギア２４３の動作面（水平面）におけるカムスライダー２３の移動方向に直交する方向（前後方向）であって、具体的には後ろ方向である。この応力によって、特に小型化（薄型化）されたカムスライダーにおいてラック周辺が後ろ方向に撓みやすく、歯蹴り（歯飛び）が生じやすい。
【００４９】
しかし、上記のように第１規制部２３ｄが第１壁部２１ａに当接することによって、カムスライダー２３のラック２３ａ周辺の撓みを抑制するので、歯蹴り（歯飛び）の発生が抑えられる。その結果、歯蹴り（歯飛び）による異音やトレイ２２の動作の一時停止がなくなり、光ディスク装置１の動作品位が向上する。
【００５０】
次に、第２規制部２３ｅは、図７Ｂ及び図７Ｅに示すように、カムスライダー２３のボス２３ｃ近傍に設けられ、具体的にはボス２３ｃが形成される平板部分の下面から下方（カムスライダー２３の移動方向と直交する方向）へ突出するリブ（突起）からなる。なお、第２規制部２３ｅはリブの代わりに溝としてもよい。溝とする場合、ボス２３ｃが形成される平板部分の下面に、左右方向（カムスライダー２３の移動方向に平行な方向）に沿った溝とする。また、第２規制部２３ｅは互いに離れて複数形成されてもよい。このように、第２規制部２３ｅがリブや溝であれば、カムスライダー２３と一体成形することができる。
【００５１】
図８及び図９Ｂに示すように、第２規制部２３ｅによる規制時には、第２規制部２３ｅが第２壁部２１ｂに当接する。このとき、カムスライダー２３に移動方向以外の応力がかかって第２規制部２３ｅが第２壁部２１ｂに当接する。すなわち、第２規制部２３ｅには、カムスライダー２３の移動方向（左右方向）と交差する方向（左右方向以外の方向）への移動を規制するストッパーとしての役割がある。これにより、カムスライダー２３の撓みが抑制される。
【００５２】
なお、第２規制部２３ｅによる規制時とは、少なくとも、ボス２３ｃとトレイ２２に形成された案内溝の屈曲部との係合時を含むものとする。特には、トレイ収納動作時におけるボス２３ｃと案内溝の屈曲部との係合を指し、トレイ排出動作の開始直後にユーザーによってトレイ２２の前面が押された場合などが想定される。このときにカムスライダー２３にかかる応力の方向は、カムスライダー２３及びギア２４３の動作面（水平面）におけるカムスライダー２３の移動方向に直交する方向（前後方向）であって、具体的には後ろ方向である。この応力によって、特に小型化（薄型化）されたカムスライダー２３においてボス２３ｃ周辺が後ろ方向に撓みやすい。
【００５３】
しかし、上記のように第２規制部２３ｅが第２壁部２１ｂに当接することによって、カムスライダー２３のボス２３ｃ周辺の撓みを抑制する。その結果、ボス２３ｃと案内溝との不適切な接触による異音やトレイ２２が引っ掛かるような動作がなくなり、光ディスク装置１の動作品位が向上する。
【００５４】
次に、図２〜５に戻って、駆動力伝達歯車機構２４を説明する。駆動力伝達歯車機構２４は、順に噛合する複数のギア２４１〜２４３を含んで構成される。たとえば、図３の右端のギア２４２は、トレイ２２のラックに噛合して、駆動モーターの駆動力をラックに伝達する。このギア２４２と同軸のギア２４３は、カムスライダー２３のラック２３ａに噛合して、駆動モーターの駆動力をラック２３ａに伝達する。よって、１つの駆動モーターでトレイ２２とトラバースアッシーを駆動することができる。すなわち、光ディスク１５の搬送、チャッキング、アンチャッキングを行うことができる。
【００５５】
このような構成により、図２の状態（トレイ開状態）からトレイ２２を収納する場合は、まず、駆動モーターの駆動力によってトレイ２２が収納方向へ移動し、収納完了直前にトレイ２２の案内溝の屈曲部によってボス２３ｃが右側へ移動される。それによって、カムスライダー２３のラック２３ａが駆動力伝達歯車機構２４のギア２４３に噛合し、駆動モーターの駆動によってカムスライダー２３が右方向に移動する。このとき、カム溝２３ｂに沿ってトラバースシャーシ２６のボス２６ａが移動し、トラバースアッシーが上昇して、光ディスク１５がチャッキングされる。
【００５６】
一方、トレイ２２を排出する場合は、まず、駆動モーターの駆動によってカムスライダー２３が左側へ移動する。このとき、カム溝２３ｂに沿ってトラバースシャーシ２６のボス２６ａが移動し、トラバースアッシーが下降して、光ディスク１５がアンチャッキングされる。そして、ラック２３ａとギア２４３との噛合が外れるときに、ボス２３ｃがトレイ２２の案内溝の屈曲部に達してトレイ２２を前方へ移動させる。これにより、トレイ２２のラックが駆動力伝達歯車機構２４に噛合し、駆動モーターの駆動によってトレイ２２が排出される。
【００５７】
以上、本発明の実施形態について説明した。上述の実施形態による光ディスク装置１は、カムスライダー２３と、第１規制部２３ｄと、第１壁部２１ａと、を備える。カムスライダー２３は、駆動力が伝達されるラック２３ａを有し、光ディスク１５を回転可能に保持するターンテーブル２９を第１位置と第２位置との間で揺動させる。第１規制部２３ｄは、カムスライダー２３のラック２３ａ近傍に設けられ、カムスライダー２３の移動方向と交差する方向へのカムスライダー２３の移動を規制する。第１壁部２１ａは、カムスライダー２３を搭載するローダーシャーシ２１に設けられる。第１壁部２１ａには第１規制部２３ｄが当接する。
【００５８】
こうすれば、第１規制部２３ｄが第１壁部２１ａに当接することによって、カムスライダー２３のラック２３ａ周辺の撓みを抑制するので、ラック２３ａでの歯蹴り（歯飛び）の発生が抑えられる。その結果、歯蹴り（歯飛び）による異音や他の動作の一時停止がなくなり、光ディスク装置１の動作品位が向上する。
【００５９】
ここで、第１位置は、光ディスク１５がターンテーブル２９に保持されるチャッキング位置であり、第２位置は、光ディスク１５がターンテーブル２９に保持されないアンチャッキング位置である。よって、カムスライダー２３がターンテーブル２９をチャッキング位置とアンチャッキング位置との間で揺動させる際、カムスライダー２３の撓みを抑制し、ラック２３ａでの歯蹴り（歯飛び）の発生を抑えることができる。
【００６０】
また、光ディスク装置１は、光ディスク１５を搬送するトレイ２２と、ボス２３ｃと、第２規制部２３ｅと、第２壁部２１ｂと、をさらに備えている。ボス２３ｃは、カムスライダー２３に設けられ、トレイ２２（具体的にはトレイ２２が有する案内溝）に係合する。第２規制部２３ｅは、カムスライダー２３の移動方向と交差する方向へのカムスライダー２３の移動を規制する。第２壁部２１ｂはローダーシャーシ２１に設けられる。第２規制部２３ｅが第２壁部２１ｂに当接する。
【００６１】
こうすれば、第２規制部２３ｅが第２壁部２１ｂに当接することによって、カムスライダー２３のボス２３ｃ周辺の撓みを抑制する。その結果、ボス２３ｃとカムスライダー２３との不適切な接触による異音やトレイ２２が引っ掛かるような動作を抑制することができるので、光ディスク装置１の動作品位が向上する。
【００６２】
また、光ディスク装置１において、第１規制部２３ｄによる規制時は、少なくとも、駆動力を伝達するギア２４３とラック２３ａとの噛合開始時を含んでいる。
【００６３】
ギア２４３とラック２３ａとの噛合開始時には、歯蹴り（歯飛び）が生じやすいが、上述のようにすれば、噛合開始時にカムスライダー２３の撓みが抑制されるので、歯蹴り（歯飛び）の発生をより確実に抑制することができる。
【００６４】
また、光ディスク装置１において、第２規制部２３ｅによる規制時は、少なくとも、ボス２３ｃとトレイ２２との係合時を含んでいる。
【００６５】
ボス２３ｃとトレイ２２（具体的にはトレイ２２が有する案内溝）との係合時には、ボス２３ｃとトレイ２２との不適切な接触による異音やトレイ２２が引っ掛かるような動作が生じやすい。対して、上述のようにすれば、その係合時にカムスライダー２３の撓みが抑制されるので、ボス２３ｃとトレイ２２との不適切な接触による異音やトレイ２２が引っ掛かるような動作の発生をより確実に抑制することができる。
【００６６】
また、光ディスク装置１において、第１及び第２規制部２３ｄ、２３ｅはリブ又は溝である。こうすれば、第１及び第２規制部２３ｄ、２３ｅをカムスライダー２３と一体成形することができる。
【００６７】
また、光ディスク装置１において、第１及び第２規制部２３ｄ、２３ｅが規制する方向は、カムスライダー２３及びラック２３ａの動作面におけるカムスライダー２３の移動方向に直交する方向である。
【００６８】
カムスライダー２３及びラック２３ａの動作面におけるカムスライダー２３の移動方向に直交する方向に応力がかかると、ラック２３ａでの歯蹴り（歯飛び）、及び、ボス２３ｃとトレイ２２（具体的にはトレイ２２が有する案内溝）との不適切な接触が生じ易い。対して、上述のようにすれば、この直交する方向へのカムスライダー２３の移動を第１及び第２規制部２３ｄ、２３ｅが規制する。従って、歯蹴り（歯飛び）の発生、及び、ボス２３ｃとトレイ２２との不適切な接触をさらに確実に抑制することができる。
【００６９】
なお、上述の実施形態は例示であり、その各構成要素や各処理の組み合わせに色々な変形が可能であり、本発明の範囲にあることは当業者に理解されるところである。
【００７０】
たとえば、上記の実施形態では、光ディスク装置を横置き（水平姿勢）に設置した状態について説明したが、本発明の光ディスク装置は縦置きに設置することもできる。
【００７１】
また、上記の実施形態では、光ディスク装置の一形態としてトレイ方式を例に説明したが、本発明はスロットイン方式など、他の方式の光ディスク装置にも適用できる。また、上述した各形態は可能な範囲で組み合わせて実施することもできる。
【００７２】
本発明は、ＢＤ、ＤＶＤ、ＣＤ（Compact Disc）等の光ディスクを再生する再生装置や光ディスクに記録することもできる記録再生装置をはじめとする光ディスク装置に利用することができる。例えば、ＢＤ・ＤＶＤプレーヤー、ＢＤ・ＤＶＤレコーダー、テレビ一体型ＢＤ・ＤＶＤレコーダー、ＢＤ・ＤＶＤ記録再生装置搭載のパーソナルコンピューターなどが挙げられる。
【符号の説明】
【００７３】
１  光ディスク装置
２０  ドライブ装置
２１  ローダーシャーシ（筐体部）
２１ａ  第１壁部
２１ｂ  第２壁部
２２  トレイ（搬送部材）
２３  カムスライダー（揺動部材）
２３ａ  ラック（ラック部）
２３ｃ  ボス（係合部）
２３ｄ  第１規制部
２３ｅ  第２規制部
２４  駆動力伝達歯車機構
２５  クランパー
２６  トラバースシャーシ
２６ａ  ボス（係合部）
２７  光ピックアップユニット（ＯＰＵ）
２８  スピンドルモーター
２９  ターンテーブル（保持部）
【図１】
2014203474.tif 000003
【図２】
2014203474.tif 000004
【図３】
2014203474.tif 000005
【図４】
2014203474.tif 000006
【図５】
2014203474.tif 000007
【図６Ａ】
2014203474.tif 000008
【図６Ｂ】
2014203474.tif 000009
【図７Ａ】
2014203474.tif 000010
【図７Ｂ】
2014203474.tif 000011
【図７Ｃ】
2014203474.tif 000012
【図７Ｄ】
2014203474.tif 000013
【図７Ｅ】
2014203474.tif 000014
【図８】
2014203474.tif 000015
【図９Ａ】
2014203474.tif 000016
【図９Ｂ】
2014203474.tif 000017